(57)【要約】      （修正有）【課題】遮蔽と採光の機能を両立するための新規な構造を有するパネルを提供する。【解決手段】透光部２１ａ・２２ａ及び遮蔽部２１ｂ・２２ｂを有する遮蔽層２１Ｍ・２２Ｍを、室内外方向に複数有するパネル２であって、前記各遮蔽層２１Ｍ・２２Ｍの遮蔽部２１ｂ・２２ｂの配列により、前記パネル２の一表面側を臨んだときに、前記各遮蔽部２１ｂ・２２ｂからなる連続した遮蔽面２Ａが形成され、前記遮蔽面２Ａの箇所に配置される前記各遮蔽層２１Ｍ・２２Ｍの透光部２１ａ・２２ａを介して、前記パネル２の一表面側から他表面側への透光がなされるパネル２とするものであり、これを玄関ドア１に適用する。【選択図】図２
2009197521.tif 000002
【特許請求の範囲】
【請求項１】
透光部及び遮蔽部を有する遮蔽層を、室内外方向に複数有するパネルであって、
前記各遮蔽層の前記遮蔽部の配列により、前記パネルの一表面側を臨んだときに、前記各遮蔽部からなる連続した遮蔽面が形成され、
前記遮蔽面の箇所に配置される前記各遮蔽層の透光部を介して、前記パネルの一表面側から他表面側への透光がなされるパネル。
【請求項２】
前記パネルは、複数の透明板を積層配置して構成され、
前記各遮蔽層は、前記各透明板において、前記透明板同士が対向する側の面に配置される構成とする、ことを特徴とする請求項１に記載のパネル。
【請求項３】
前記各遮蔽部を複数層にて構成し、各層の色彩を異なるもので構成する、
ことを特徴とする、請求項１又は請求項２に記載のパネル。
【請求項４】
前記各遮蔽層における前記各遮蔽部は、パネルの高さ方向に長い線状部を、パネルの幅方向において間隔を開けて並設してなるものであり、前記間隔の部位において、前記透光部が形成される、
ことを特徴とする、請求項１乃至請求項３のいずれか一項に記載のパネル。
【請求項５】
請求項１乃至請求項４のいずれか一項に記載のパネルを備える建具。
【発明の詳細な説明】
【技術分野】
【０００１】
本発明は、ガラス板等の透明板から構成されるパネルの構造に関するものである。
【背景技術】
【０００２】
従来、ガラス板等の透明板に縞模様を構成し、その縞模様によって幾何学模様などの意匠を構成するパネルに関する技術が知られており、これについて開示する文献も存在する（例えば、特許文献１参照。）。
【０００３】
特許文献１では、二枚の透明板を重ね合わせる構造であって、一方の透明板に透明線と不透明線の繰り返し及び模様の区画による縦縞模様を形成し、もう一方の透明板に、前記透明線と前記不透明線の繰り返し間隔と略同じであって、透明線と不透明線の繰り返しであってやや傾斜した縦縞を形成してなる装飾パネルについて開示がされている。このような縞模様によって形成される模様は、「モアレ」として知られている。
【０００４】
このように構成した装飾パネルによれば、前記他方の透明板の透明線と不透明線がやや傾斜しているので、前記一方の透明板の透明線と不透明線との関係における、前記他方の透明板の透明線と不透明線の重なりの程度が、装飾パネルの上下方向において絶えず異なることになり、見る位置によって現れるモアレ（模様）の変化が著しいものとなるとされている。
【特許文献１】特開平６−１１７０６７号明細書
【発明の開示】
【発明が解決しようとする課題】
【０００５】
特許文献１で開示される技術は、見る位置によって透明板に現れるモアレが異なり、そのモアレの変化を著しくすることを目的とするものであり、モアレの変化を積極的に見せたい箇所に適用がなされるものである。
【０００６】
しかし、モアレが変化すると、観者の視覚に影響が及ばされることになるため、観者が気持ちを悪くしてしまうことがあり得る。例えば、モアレの変化が激しい装飾パネルを玄関ドアに採用するようなことがあると、玄関ドアに向かうアプローチを歩く過程において、装飾パネルを目視した際に気持ちが悪くなってしまうことになる。
【０００７】
ところが、透明板からなるパネルに不透明線などによる遮蔽部と、透明線などによる透光部を形成することによれば、例えば、上記の玄関ドアへの適用について考えると、遮蔽部によって室内空間を外部から遮蔽しつつ、透光部から室内空間への採光を行うことが可能となり、機能的に優れた玄関ドアなどを実現することが可能となる。ここで、遮蔽部と透光部の組み合わせによっては、外観上、モアレが発生してしまうことになるため、このモアレの発生に伴う不具合を考慮する必要が生じることになる。
【０００８】
そこで、本発明は、以上の問題点に鑑み、透明板からなるパネルにおいて遮蔽と採光の機能を両立するための新規な構造を提案するものである。
【課題を解決するための手段】
【０００９】
本発明の解決しようとする課題は以上の如くであり、次にこの課題を解決するための手段を説明する。
【００１０】
即ち、請求項１に記載のごとく、
透光部及び遮蔽部を有する遮蔽層を、室内外方向に複数有するパネルであって、
前記各遮蔽層の前記遮蔽部の配列により、前記パネルの一表面側を臨んだときに、前記各遮蔽部からなる連続した遮蔽面が形成され、
前記遮蔽面の箇所に配置される前記各遮蔽層の透光部を介して、前記パネルの一表面側から他表面側への透光がなされるパネルとするものである。
【００１１】
また、請求項２に記載のごとく、
前記パネルは、複数の透明板を積層配置して構成され、
前記各遮蔽層は、前記各透明板において、前記透明板同士が対向する側の面に配置される構成とするものである。
【００１２】
また、請求項３に記載のごとく、
前記各遮蔽部を複数層にて構成し、各層の色彩を異なるもので構成するものである。
【００１３】
また、請求項４に記載のごとく、
前記各遮蔽層における前記各遮蔽部は、パネルの高さ方向に長い線状部を、パネルの幅方向において間隔を開けて並設してなるものであり、前記間隔の部位において、前記透光部が形成される、こととするものである。
【００１４】
また、請求項５に記載のごとく、
前記パネルを備える建具とするものである。
【発明の効果】
【００１５】
本発明の効果として、以下に示すような効果を奏する。
【００１６】
即ち、請求項１に記載の発明においては、室内空間を遮蔽することができるとともに、室内空間への採光を行うことが可能となり、遮蔽と採光の両立を図ることができる。
【００１７】
また、請求項２に記載の発明においては、各遮蔽部は、外部に直接さらされることがないため、風雨にさらされることや、傷がつくことがなく、長期間にわたって安定した遮蔽性能を発揮することが可能となる。
【００１８】
また、請求項３に記載の発明においては、各遮蔽部を複数層にて構成することによれば、或る層にて遮蔽性を確保しつつ、他の層の色彩の設計によって自由な外観を構成することが可能となり、機能を確保したままに、意匠の選択性の自由度を広げることが可能となる。
【００１９】
また、請求項４に記載の発明においては、遮蔽面の上部から下部に渡って連続する線状部によって遮蔽面を構成することができ、上部から下部に渡って略均一な外観を呈する遮蔽面を構成することができる。
【００２０】
また、請求項５に記載の発明においては、例えば、玄関ドアへの適用によれば、パネルの箇所において、遮蔽と採光の両立を図ることができ、機能的に優れた玄関ドアを構成することができる。
【発明を実施するための最良の形態】
【００２１】
次に、発明の実施の形態を説明する。
発明の実施の形態は、例えば、図１に示すごとく、玄関ドア１の一部に、本発明を適用したパネル２を組み込み、このパネル２の箇所において、室内空間への採光がなされるとともに、室内空間の遮蔽がなされることとするものである。
以下、詳細について実施例を用いて説明する。
【００２２】
図１は、パネル２を組み込んだ玄関ドア１を室外側、及び、室内側から臨んだ状態を示している。左側の図は玄関ドア１の室外側の外観を示すものであり、パネル２の室外側の室外板２１にて玄関ドア１の外装が構成されている。また、玄関ドア１の略中央部には、パネル２の中間板２２を構成する上下方向に長い長方形部位が形成され、中間板２２が配置される箇所においては、詳しくは後述する遮蔽面２Ａが形成されつつ、この遮蔽面２Ａの箇所において室内空間への透光がなされるようになっている。また、この遮蔽面２Ａの外観の色彩を、前記室外板２１を透過して現れる玄関ドア１の戸板１１の外装面１１Ａと略同一とすることにより、略一様な外観の意匠が構成されるようになっている。なお、本明細書中において、室外側もしくは室内側の一表面側から玄関ドア１を臨む場合には、玄関ドア１の室外側もしくは室内側の一表面に対して直行する方向（正面）、もしくは、斜め方向から臨む場合の両方が含まれるものとする。
【００２３】
また、図１において、右側の図は玄関ドア１の室内側の外観を示すものであり、前記パネル２の室内側の部位を構成する室内板２３が室内側に現れるようになっている。この室内板２３の部位においては、詳しくは後述する遮蔽面２Ａが形成されるものであり、この遮蔽面２Ａの箇所において室内空間への透光がなされるようになっている。
【００２４】
以下、詳細について説明すると、図２は図１の左側の図におけるＡ−Ａ線断面図を示すものであり、パネル２は、室外側から室内側となる順に、ガラス製の透明板からなる室外板２１、中間板２２、及び、室内板２３を積層配置してなる構成としている。なお、これら、室外板２１、中間板２２、及び、室内板２３は、ガラス製のほか、樹脂製であってもよく、透光性を有するものであれば、特にその素材は限定されるものではない。また、透明板には半透明のものも含まれるものである。
【００２５】
また、図２に示すごとく、室外板２１は、玄関ドア１の戸板１１の外装面１１Ａを、略全面覆うように構成されている。また、戸板１１の左右中央部には、室内外方向に貫通する開口部１２が設けられており、この開口部１２の室外側の開口が室外板２１によって閉じられるようになっている。また、室外板２１は、透明板から構成されており、室外板２１を介して戸板１１の外装面１１Ａが外観に現れるようになっている。
【００２６】
また、図２に示すごとく、戸板１１の開口部１２において、室外板２１よりも室内側に中間板２２が配置され、該中間板２２よりも室内側に室内板２３が配置される構成としている。中間板２２及び室内板２３の左右端部においては、上下方向に長いスペーサ３１が両板間に設けられ、このスペーサ３１の室内外方向の厚みの分だけ、中間板２２と室内板２３との間の間隔が保たれるようになっている。
【００２７】
また、図２に示すごとく、戸板１１の開口部１２においては、前記スペーサ３１を挟み込んだ中間板２２と室内板２３の左右端部を収容するための凹部１１ａが設けられている。この凹部１１ａにスペーサ３１が収容されることにより、スペーサ３１が開口部１２の内壁面１２ａよりも奥まった位置に配置されるようになっている。これにより、開口部１２の箇所を室外側から臨んだときに、スペーサ３１が目立たないようにすることが可能となる。
【００２８】
また、図２に示すごとく、前記戸板２の開口部１２において、室外板２１の室内側表面２１Ａには、透光部２１ａ及び遮蔽部２１ｂを有する遮蔽層２１Ｍが形成される。本実施例では、遮蔽部２１ｂをセラミック印刷により室内側表面２１Ａに形成し、このセラミック印刷が施されない箇所にて透光部２１ａを形成することとしている。なお、ガラスなどの透明板に対する透光部の形成においては、セラミック印刷のほか、シルク印刷などが考えられ、実施においては周知の技術を幅広く適用することが可能である。
【００２９】
また、図３（ａ）に示すごとく、室外板２１の室内側表面２１Ａに形成される遮蔽層２１Ｍは、複数の遮蔽部２１ｂ・２１ｂを上下方向に、一定の間隔を開けて形成することにより、縦縞の模様が形成されるようになっている。各遮蔽部２１ｂ・遮蔽部２１ｂの間には、透光部２１ａ・２１ａが形成されるようになっている。
【００３０】
また、図２に示すごとく、前記戸板２の開口部１２において、中間板２２の室内側表面２２Ａには、透光部２２ａ及び遮蔽部２２ｂを有する遮蔽層２２Ｍが形成される。本実施例では、遮蔽部２２ｂをセラミック印刷により室内側表面２２Ａに形成し、このセラミック印刷が施されない箇所にて透光部２２ａを形成することとしている。
【００３１】
また、図２に示すごとく、この遮蔽部２２ｂのセラミック印刷に関し、遮蔽部２２ｂの表面に接着剤の塗布や両面テープの貼付を行ったとしても、室外側から臨んだときに、この接着剤や両面テープを遮蔽部２２ｂによって遮蔽することが可能となる。このため、例えば、前述のスペーサ３１に対する中間板２２の固定において、中間板２２の端部２２Ｒに遮蔽部２２ｂを構成し、この遮蔽部２２ｂの表面に接着剤２４を塗布することによれば、この接着剤２４を遮蔽部２２ｂによって外部から隠すことができることになる。つまりは、遮蔽部２２ｂのセラミック印刷の表面を、接着剤などを適用する接着固定面として、有効的に利用することとするものである。
【００３２】
また、図３（ａ）に示すごとく、中間板２２の室内側表面２２Ａに形成される遮蔽層２２Ｍは、複数の遮蔽部２２ｂ・２２ｂを上下方向に、一定の間隔を開けて形成することにより、縦縞の模様が形成されるようになっている。各遮蔽部２２ｂ・遮蔽部２２ｂの間には、透光部２２ａ・２２ａが形成されるようになっている。
【００３３】
そして、図２に示すごとく、以上にのべた室外板２１の遮蔽層２１Ｍと、中間板２２の遮蔽層２２Ｍにおいて、遮蔽層２１Ｍの透光部２１ａが遮蔽層２２Ｍの遮蔽部２２ｂと対向し、遮蔽層２１Ｍの遮蔽部２２ｂが遮蔽層２２Ｍの遮蔽部２２ｂと対向する配置となるように、室外板２１と中間板２２とが積層配置される。また、遮蔽層２１Ｍの透光部２１ａの幅は、遮蔽層２２Ｍの遮蔽部２２ｂの幅より狭く、室外側から臨んだときに、透光部２１ａの奥に存在する遮蔽部２２ｂによって、室内側への視線が遮られる。また、遮蔽層２１Ｍの遮蔽部２１ｂの幅は、遮蔽層２２Ｍの透光部２２ａの幅より広く、室外側から臨んだときに、遮蔽部２１ｂによって透光部２２ａに向かう視線が遮られる。
【００３４】
そして、以上の構成により、図３（ｂ）に示すごとく、前記パネル２の室外板２１を室外側から臨んだときに、遮蔽層２１Ｍ・２２Ｍの遮蔽部２１ｂ・２２ｂからなる連続した遮蔽面２Ａが形成されることになり、室内空間を遮蔽面２Ａによって遮蔽することが可能となる。
【００３５】
また、図２に示すごとく、遮蔽層２１Ｍ・２２Ｍにおいては、それぞれ、透光部２１ａ・２２ａが形成されるものである。これにより、室外側からの光５１・５２は、透光部２１ａ・２２ａの箇所において、室外板２１、中間板２２を透過し、さらに、室内板２３を透過することによって、室内側へ透光することになる。ここで重要なことは、遮蔽層２１Ｍ・２２Ｍが室内外方向にずらして形成されていることにより、遮蔽層２１Ｍ・２２Ｍの間に透光路５０・５０を確保することができ、遮蔽部２１ｂ・２２ｂが存在しつつも光５１・５２の透過が実現できるということである。つまり、本実施例の目的とするところである遮蔽と採光の両立を実現する上では、遮蔽層２１Ｍ・２２Ｍを室内外方向にずらして形成することが重要な点となるものである。
【００３６】
以上の構成により、図４に示すごとく、室内空間への採光が実現されることになる。また、図３（ａ）に示すごとく、各遮蔽層２１Ｍ・２２Ｍにおける透光部２１ａ・２２ａは、高さ方向に細長く構成されているため、図４に示すごとく、室内の床面６０には、透過した光５１・５２による線模様５３を映すことが可能となる。換言すれば、透過した光５１・５２・・・によって線模様５３の意匠を構成することが可能となる。
【００３７】
以上が実施例の構成である。
即ち、図１乃至図３に示すごとく、透光部２１ａ・２２ａ及び遮蔽部２１ｂ・２１ｂを有する遮蔽層２１Ｍ・２２Ｍを、室内外方向に複数有するパネル２であって、
前記各遮蔽層２１Ｍ・２２Ｍの遮蔽部２１ｂ・２２ｂの配列により、前記パネル２の一表面側（例えば室外側）を臨んだときに、前記各遮蔽部２１ｂ・２２ｂからなる連続した遮蔽面２Ａが形成され、
前記遮蔽面２Ａの箇所に配置される前記各遮蔽層２１Ｍ・２２Ｍの透光部２１ａ・２２ａを介して、前記パネル２の一表面側から他表面側（例えば、室外側から室内側）への透光がなされるパネル２とするものであり、これを玄関ドア１に適用するものである。
【００３８】
この構成によれば、遮蔽面２Ａによって、室内空間を遮蔽することができるとともに、室内空間への採光を行うことが可能となり、遮蔽と採光の両立を図ることができる。また、遮蔽面２Ａは連続した平面であるため、パネル２を一表面側（例えば、室外側）から臨んだ際に模様が形成されることがなく、モアレの発生に伴う不具合を防止することが可能となる。なお、この観点から、各遮蔽層２１Ｍ・２２Ｍの透光部２１ａ・２２ａ、遮蔽部２１ｂ・２２ｂの幅や間隔は、モアレの発生に伴う不具合を考慮して適宜設計することができる。
【００３９】
また、前記各遮蔽層２１Ｍ・２２Ｍにおける前記各遮蔽部２１ｂ・２２ｂは、パネル２の高さ方向に長い線状部を、パネル２の幅方向において間隔を開けて並設してなるものであり、前記間隔の部位において、前記透光部２１ａ・２２ａが形成されることとしている。
【００４０】
この構成によれば、遮蔽面２Ａの上部から下部に渡って連続する線状部（遮蔽部２１ｂ・２２ａ）によって遮蔽面２Ａを構成することができ、上部から下部に渡って略均一な外観を呈する遮蔽面２Ａを構成することができる。仮に、線状部を横方向に構成することとすると、上下方向において断続的な繋がりによって遮蔽面が構成されることになる。特に、本実施例のように、遮蔽面２Ａが高さ方向に長い場合（遮蔽面２Ａの高さ方向の寸法が横方向の寸法よりも長く構成される場合）では、略均一な外観を構成する上で、好適な実施形態となる。
【００４１】
また、以上の実施例では、玄関ドア１にパネル２を適用した例を説明したが、玄関ドアのほか、窓、引戸、などのあらゆる建具について、以上に説明したパネル２を適用することが可能である。
【００４２】
また、パネル２の各種建具などへの適用に際しては、図５に示す（ａ）〜（ｃ）の形態も用いることが可能となる。
図５（ａ）の構成では、室外板１２１と室内板１２３の対向面に、それぞれ遮蔽層１２１Ｍ・１２３Ｍを形成することで、上記実施例と同様の遮蔽面を構成するものである。図２の構成と比較すると、中間板２２を省いた構成であり、二枚の透明板（室外板１２１と室内板１２３）にて実現するものである。詳細な構成は、上記実施例と同等であり、説明を省略をする。
【００４３】
また、図５（ｂ）の構成では、室外板２２１、中間板２２２、室内板２２３のそれぞれに、遮蔽層２２１Ｍ・２２２Ｍ・２２３Ｍを形成し、各遮蔽層２２１Ｍ・２２２Ｍ・２２３Ｍの遮蔽部２２１ｂ・２２２ｂ・２２３ｂを組み合わせて一連の遮蔽面を構成することとするものである。詳細な構成は、上記実施例と同等であり、説明を省略をする。
【００４４】
ここで、図２、図５（ａ）、図５（ｂ）に示すごとく、各遮蔽部２１ｂ・２２ｂ・１２１ｂ・１２３ｂ・２２１ｂ・２２２ｂ・２２３ｂは、室外板２１、中間板２２、室内板２３のいずれか二つによって形成される空間内に配置されるようになっている。
即ち、図２の実施例でいえば、パネル２は、複数の透明板（室外板２１、中間板２２、室内板２３）を積層配置して構成され、前記各遮蔽層２１Ｍ・２２Ｍは、各透明板において、透明板同士が対向する側の面２１Ａ・２２Ａに配置される構成とするものである。なお、この図２の例では、中間板２２において、室内板２３と対向する側である室外側の面に遮蔽層２２Ｍが構成されるが、室外板２１と対向する側である室内側の面に遮蔽層２２Ｍが構成されることとしてもよい。
【００４５】
そして、この構成によれば、図２、図５（ａ）、図５（ｂ）に示すごとく、各遮蔽部２１ｂ・２２ｂ・１２１ｂ・１２３ｂ・２２１ｂ・２２２ｂ・２２３ｂは、外部に直接さらされることがないため、風雨にさらされることや、傷がつくことがなく、長期間にわたって安定した遮蔽性能を発揮することが可能となる。また、汚れのふき取り（窓拭き）などを繰り返すことによっても、遮蔽部が剥がれるという不具合も生じることがない。特に、セラミック印刷などの印刷技術によって遮蔽層を構成する場合には、印刷部の厚さが薄くなり、耐久性の確保が重要となる。この観点からも、以上に述べた構成は有効となる。さらに、各遮蔽部は、外観上、透明板によってコーティングされたものとなり、鏡面仕上げされたような光沢感のある質感の高い意匠を実現できる。
【００４６】
また、図５（ｃ）に示す構成は、一枚の透明板３２１の両面に、遮蔽層３２１Ｍ・３２２Ｍをそれぞれ形成する実施例である。このように、一枚の透明板３２１にて、複数の遮蔽層３２１Ｍ・３２２Ｍを室内外方向に形成することも可能である。なお、この構成の場合においても、他の透明板を両側に配置するなどして、遮蔽層の保護を図ることが望ましい。
【００４７】
また、以上に述べた実施例において、例えば、図２・図３に示す遮蔽部２１ｂ・２２ｂの色彩は、その遮蔽性、即ち、室内空間から室外空間への光の透過をなくし（遮蔽する）、室外側から室内側を見えなくするために、黒色、グレーなどの黒色に近い無彩色であって、透明度の低いものとすることが好適である。
【００４８】
これに関連し、例えば、図２の構成では、遮蔽面２Ａの外観の色彩を黒色となるように設定した場合には、室外板２１を透過して現れる玄関ドア１の戸板１１の外装面１１Ａも黒色とすることによれば、全面が略一様な黒色の外観を有する意匠を構成することができる。また、図２の構成では、透明板である室外板２１によって、玄関ドア１の全面がコーティングされたものとなり、鏡面仕上げされたような光沢感のある質感の高い意匠を実現できる。
【００４９】
また、図１及び図２の構成では、戸板１１の開口部１２においてのみ遮蔽面２Ａが形成され、玄関ドア１の一部においてパネル２の遮蔽、透光の機能が発揮される構成としたが、中間板２２及び室内板２３を室外板２１と同等の面積に構成し、室外板２１の全面、及び、中間板２２の全面に遮蔽層を構成することとし、玄関ドア１の略全範囲において、遮蔽、透光の機能が発揮される構成としてもよい。つまり、玄関ドア１で間仕切られる全範囲を、複数層の透明板で構成するとともに、その全範囲において、遮蔽と透光の機能を発揮させることとするものである。
【００５０】
また、この遮蔽部の色彩に関連し、図６に示す構成では、各遮蔽部７１・７２を複数層（本実施例では２層）にて構成し、各層の色彩を異なるもので構成することとしている。例えば、室外板２１の遮蔽部７１においては、室外側の第一層７１ａと、室内側の第二層７１ｂにて構成することとし、第一層７１ａを白色、第二層７１ｂを黒色とする。この構成では、室外側から臨むと、第一層７１ａの白色を視認することができる。そして、黒色の第二層７１ｂでは、その色彩によって遮蔽性を確保することとする。つまり、第一層７１ａにて外観の意匠を構成するとともに、第二層７１ｂにて遮蔽の機能を担保するものである。室内板２３の遮蔽部７２においても同様に、第一層７２ａ・第二層７２ｂにて構成する。
【００５１】
このように、各遮蔽部７１・７２を複数層にて構成することによれば、或る層にて遮蔽性を確保しつつ、他の層の色彩の設計によって自由な外観を構成することが可能となり、機能を確保したままに、意匠の選択性の自由度を広げることが可能となる。例えば、遮蔽面を白色とすることも可能である。また、室外板２１の遮蔽部７１においては、室外側の第一層７１ａを白色、第二層７１ｂを黒色とし、室内板２３の遮蔽部７２においては、室外側の第一層７１ａを黒色、第二層７１ｂを白色とし、両遮蔽部７１・７２によって形成される遮蔽面を白と黒の二色でデザインすることも可能となる。このように、施主の好みによって意匠を設計することが可能となる。
【００５２】
さらに、例えば、図２に示す構成において、室内板２３に半透明の有彩色を施すことによれば、図４に示す透過した光５１・５２に彩色を与えることが可能となる。このほか、室外板２１、及び／又は、中間板２２に半透明の有彩色を施すなど、任意に色彩を設計することが可能である。
【００５３】
また、図７（ａ）〜（ｄ）に示すごとく、遮蔽部と透光部の形状については、様々な形態が考えられる。図７（ａ）においては、図３（ａ）と同様の形態であり、遮蔽層８１・８２において、それぞれ縦縞が形成されるように、遮蔽部８１ａ・８２ａを配置するものである。この場合、一方の遮蔽層８１の遮蔽部８１ａは、他方の遮蔽層８２の透光部８２ｂを覆うことができる広い面積を有し、同様に、他方の遮蔽層８２の遮蔽部８２ａは、一方の遮蔽層８１の透光部８１ｂを覆うことができる広い面積を有することとし、これにより、両遮蔽層８１・８２が積層されることによって、連続した遮蔽面が形成されることとするものである。
【００５４】
他の例も同様であり、図７（ｂ）においては、各遮蔽層８３・８４において、遮蔽部８３ａ・８４ａを横方向に配置して、横縞状の模様を構成するものである。また、図７（ｃ）においては、遮蔽層８５・８６において、波模様をなす遮蔽部８５ａ・８６ａを配置する構成とするものである。また、図７（ｄ）においては、遮蔽層８７において、円形の遮蔽部８７ａを点在させるとともに、遮蔽層８８において、遮蔽部８７ａに対応する位置において円形を刳り貫いてなる面状の遮蔽部８８ａを構成するものである。
【００５５】
また、図７（ａ）〜（ｄ）に示すように、遮蔽層を形成する遮蔽部においては、各種の形態を実施することができ、この遮蔽部の形状に対応して透光部の形状が定義されることになる。そして、このように透光部の形状が異なることによって、図４に示すごとく、室内側に形成される透過した光による線模様５３も異なることになる。換言すれば、室内側に透光する光によって形成される意匠を、図７（ａ）〜（ｄ）に示すようなバリエーションによって設計することが可能となる。
【産業上の利用可能性】
【００５６】
本発明のパネルは、玄関ドア、サッシ、間仕切りなど、建具一般に広く適用できることはもちろんのこと、空間を仕切るガラスなどの透明板が適用されるあらゆる箇所において、利用が可能である。
【図面の簡単な説明】
【００５７】
【図１】本発明の実施例にかかるパネルを適用した玄関ドアについて示す図。
【図２】図１のＡ−Ａ線断面図と、部分拡大図。
【図３】（ａ）は、室外板、中間板に形成される遮蔽層の構成について示す図。（ｂ）は、遮蔽部によって形成される遮蔽面について説明する図。
【図４】室内側における透光の様子について示す図。
【図５】（ａ）は、パネルを室外板と室内板の二枚で構成する例について示す図。（ｂ）は、パネルを室外板、中間板、室内板の三枚で構成し、各板に遮蔽層を構成する例について示す図。（ｃ）は、一枚の透明板の両面に遮蔽層を構成する例について示す図。
【図６】遮蔽部を複数層にて構成する例について示す図。
【図７】（ａ）は遮蔽部を縦縞状に配置する例を示す図。（ｂ）は遮蔽部を横縞状に配置する例を示す図。（ｃ）は遮蔽部を波模様状に配置する例を示す図。（ｄ）は円形の遮蔽部と円形を刳り貫いた形状の遮蔽部との組み合わせによる例について示す図。
【符号の説明】
【００５８】
１    玄関ドア
２    パネル
２Ａ    遮蔽面
１１    戸板
１１Ａ    外装面
１２    開口部
２１    室外板
２１ａ    透光部
２１ｂ    遮蔽部
２１Ｍ    遮蔽層
２２    中間板
２２ａ    透光部
２２ｂ    遮蔽部
２２Ｍ    遮蔽層
２３    室内板
３１    スペーサ
【図１】
2009197521.tif 000003
【図２】
2009197521.tif 000004
【図３】
2009197521.tif 000005
【図４】
2009197521.tif 000006
【図５】
2009197521.tif 000007
【図６】
2009197521.tif 000008
【図７】
2009197521.tif 000009